(57)【要約】【課題】この発明は、足場における踏板のジグザグ変形を防止することができ、ひいては足場の安定性を向上させることが可能な狭小地用足場構造および狭小地足場用踏板提供を目的とする。【解決手段】建築物Ａの建築位置の外周の一部に沿って複数の支柱２が所定間隔ごとに一列に立設され、幅狭に形成された踏板３がその長さ方向の両端部の一カ所を支柱２にそれぞれ連結することにより、各踏板３が各支柱２間に同一高さで水平方向に沿って架け渡される。踏板３の長さ方向の両端部における支柱２との連結部の少なくとも一方側部に、隣り合う踏板３、３同士が互いに近接方向に移動するのを規制する移動規制部材７が踏板長さ方向に突出する態様で設けられている。【選択図】　　　図１
2004116193.tif 000002
【特許請求の範囲】
【請求項１】
建築物の建築位置の外周の全部または一部に沿って複数の支柱が所定間隔ごとに一列に立設され、幅狭に形成された踏板がその長さ方向の両端部の一カ所を前記支柱にそれぞれ連結することにより、各踏板が各支柱間に同一高さで水平方向に沿って架け渡された狭小地用足場構造であって、
前記踏板の長さ方向の両端部における前記支柱との連結部の少なくとも一方側部に、隣り合う踏板同士が互いに近接方向に移動するのを規制する移動規制部材が踏板長さ方向に突出する態様で設けられていることを特徴とする狭小地用足場構造。
【請求項２】
前記移動規制部材における踏板幅方向の一方側部に係止片が踏板長さ方向に突出する態様で設けられ、隣り合う踏板の係止片がそれぞれ移動規制部材の幅方向の移動を規制するものとなされている請求項１に記載の狭小地用足場構造。
【請求項３】
前記踏板の長さ方向の両端部における建築物方向の内方側部に前記移動規制部材が設けられている請求項１または請求項２に記載の狭小地用足場構造。
【請求項４】
前記建築物と足場との間に、一ないし複数の圧縮部材が一端部を建築物の外壁面に当接し、かつ他端部または中間部を前記足場の支柱または踏板に連結または当接する態様で設けられ、
前記足場における踏板長さ方向の両端部が移動規制された状態で、前記足場における踏板長さ方向の中間部が前記圧縮部材により建築物方向の外方に荷重が加えられるものとなされている請求項３に記載の狭小地用足場構造。
【請求項５】
前記支柱に上下方向に貫通する貫通孔を有する２個のコマが対称に設けられるとともに、前記踏板の長さ方向の両端部の一カ所にそれぞれ楔が設けられ、前記支柱のコマに前記踏板の楔が差し込まれることによって前記支柱と踏板が連結される請求項１ないし請求項４に記載の狭小地用足場構造。
【請求項６】
幅狭に形成されるとともに、建築物の建築位置の外周の全部または一部に沿って所定間隔ごとに一列に立設された複数の支柱に、長さ方向の両端部の一カ所が前記支柱に連結されることにより、各支柱間に同一高さで水平方向に沿って架け渡される狭小地用足場用踏板であって、
前記踏板の長さ方向の両端部における前記支柱との連結部の少なくとも一方側部に、隣り合う踏板同士が互いに近接方向に移動するのを規制する移動規制部材が踏板長さ方向に突出する態様で設けられていることを特徴とする狭小地用足場用踏板。
【発明の詳細な説明】
【０００１】
【発明の属する技術分野】
この発明は、狭小地に用いられる狭小地用足場の安定性を向上する狭小地用足場構造および狭小地用足場用踏板に関する。
【０００２】
【従来の技術】
建築物を建築していく場合、建築位置の外周に沿って足場が組み立てられる。このような足場は、建築位置の外周に沿って所定間隔ごとに立設される複数の支柱と、各支柱間に水平方向に沿って架け渡される複数の踏板等で構成される。
【０００３】
そして、従来、隣り合う建築物の間が狭い敷地や、建築物と境界線との間が狭い敷地など、いわゆる狭小地でも使用できる布板一側足場等の狭小地用足場が知られている。この狭小地用足場（１’）は、例えば図１２に示すように、建築物（Ａ）の建築位置の外周の全部または一部に沿って複数の支柱（２’）が所定間隔ごとに一列に立設され、幅狭に形成された踏板（３’）がその長さ方向の両端部の一カ所を前記支柱（２’）に連結することにより、各踏板（３’）が各支柱（２’）間に同一高さで水平方向に沿って架け渡されたものである（例えば、特許文献１参照）。
【０００４】
【特許文献１】特開平６−２２９１１３号公報（第１図）
【０００５】
【発明が解決しようとする課題】
しかしながら、上述の狭小地用足場（１’）では、踏板（３’）の長さ方向の両端部の一カ所を前記支柱（２’）に連結するだけなので、図１２の矢印に示すように、各踏板（３’）が支柱（２’）との連結部分を中心にしてばらばらに若干回転することにより踏板のジグザグ変形が生じ、足場の安定性が低下するという問題があった。
【０００６】
この発明は、上述の問題に鑑みてなされたものであって、足場における踏板のジグザグ変形を防止することができ、ひいては足場の安定性を向上させることが可能な狭小地用足場構造と、その狭小地用足場構造に用いられる狭小地用足場用踏板の提供を目的とする。
【０００７】
【課題を解決するための手段】
この発明は、上述の目的を達成するために、建築物の建築位置の外周の全部または一部に沿って複数の支柱が所定間隔ごとに一列に立設され、幅狭に形成された踏板がその長さ方向の両端部の一カ所を前記支柱にそれぞれ連結することにより、各踏板が各支柱間に同一高さで水平方向に沿って架け渡された狭小地用足場構造であって、
前記踏板の長さ方向の両端部における前記支柱との連結部の少なくとも一方側部に、隣り合う踏板同士が互いに近接方向に移動するのを規制する移動規制部材が踏板長さ方向に突出する態様で設けられていることを特徴とする。
【０００８】
これによれば、踏板の長さ方向の両端部における前記支柱との連結部の一方側部に移動規制部材が設けられている場合、移動規制部材が互いに隣り合う踏板の近接方向の移動を規制するので、各踏板は支柱との連結部を中心にして移動規制部材側に回転することがなく、支柱との連結部を中心にして移動規制部材と反対側にのみ若干回転し得る。このため、踏板全体は、上方から見て緩やかな一の湾曲線に沿った剛性を有する状態となるので、足場における踏板のジグザグ変形を防止することができ、足場の安定性を向上することが可能となる。
【０００９】
また、踏板の長さ方向の両端部における前記支柱との連結部の両側部に移動規制部材が設けられている場合、移動規制部材が隣り合う踏板の近接方向に移動を両側から規制するので、各踏板は支柱との連結部を中心にしていずれの方向にも回転することがない。このため、踏板全体は、上方から見て一の水平線に沿った剛性を有する状態となるので、足場における踏板のジグザグ変形を防止することができ、足場の安定性を向上することが可能となる。
【００１０】
また、前記移動規制部材における踏板幅方向の一方側部に係止片が踏板長さ方向に突出する態様で設けられ、隣り合う踏板の係止片がそれぞれ移動規制部材の幅方向の移動を規制するものとなされているのが好ましい。これによれば、隣り合う踏板の係止片がそれぞれ移動規制部材の幅方向の移動をも規制するので、各踏板は支柱との連結部を中心にしてより回転しにくくなり、足場の安定性をより一層向上することが可能となる。
【００１１】
また、前記踏板の長さ方向の両端部における建築物方向の内方側部に前記移動規制部材が設けられているのが好ましい。これによれば、各踏板は支柱との連結部を中心にして建築物方向の内方に回転することがなく、支柱との連結部を中心にして建築物方向の外方にのみ若干回転し得る。このため、踏板全体は、上方から見て建築物方向の内方に緩やかに湾曲する一の湾曲線に沿った剛性を有する状態となるので、足場が隣りの建築物や境界線を干渉することを防止することができる。
【００１２】
また、前記建築物と足場との間に、一ないし複数の圧縮部材が一端部を建築物の外壁面に当接し、かつ他端部または中間部を前記足場の支柱または踏板に連結または当接する態様で設けられ、前記足場における踏板長さ方向の両端部が移動規制された状態で、前記足場における踏板長さ方向の中間部が前記圧縮部材により建築物方向の外方に荷重が加えられるものとなされているのが好ましい。これによれば、各踏板は上述のように上方から見て建築物方向の内方に緩やかに湾曲しようとするが、一ないし複数の圧縮部材により足場の中間部に対して建築物方向の外方に荷重が加えられるので、踏板全体は上方から見て一の水平線に沿ったより剛性を有する状態となり、足場における踏板のジグザグ変形をより一層防止することができる。また、支柱が地面との接地点を中心にして建築物方向に揺れることを防止することができ、上述の足場における踏板のジグザグ変形の防止と相俟って、足場の安定性をより一層向上させることが可能となる。
【００１３】
また、前記支柱に上下方向に貫通する貫通孔を有する２個のコマが対称に設けられるとともに、前記踏板の長さ方向の両端部の一カ所にそれぞれ楔が設けられ、前記支柱のコマに前記踏板の楔が差し込まれることによって前記支柱と踏板が連結されるのが好ましい。これによれば前記支柱と踏板を簡単かつ確実に連結することができる。
【００１４】
また、この発明に係る狭小地用足場用踏板は、幅狭に形成されるとともに、建築物の建築位置の外周の全部または一部に沿って所定間隔ごとに一列に立設された複数の支柱に、長さ方向の両端部の一カ所が前記支柱に連結されることにより、各支柱間に同一高さで水平方向に沿って架け渡される狭小地用足場用踏板であって、
前記踏板の長さ方向の両端部における前記支柱との連結部の少なくとも一方側部に、隣り合う踏板同士が互いに近接方向に移動するのを規制する移動規制部材が踏板長さ方向に突出する態様で設けられていることを特徴とする。
【００１５】
これによれば、各踏板を前記支柱に架け渡した際に、移動規制部材が互いに隣り合う踏板の近接方向の移動を規制することによって、踏板全体は上方から見て緩やかな一の湾曲線または一の水平線に沿った剛性を有する状態となるので、足場における踏板のジグザグ変形を防止することができ、足場の安定性を向上することが可能となる。
【００１６】
【発明の実施の形態】
［実施形態１］
次にこの発明の一実施形態について図面を参照しつつ説明する。
【００１７】
この実施形態に係る狭小地用足場（１）は、図１に示すように、建築物（Ａ）の建築位置の外周の一部に沿って所定間隔ごとに一列に立設された複数の支柱（２）と、各支柱（２）間に水平方向に沿って２段に架け渡された複数の踏板（３）と、各支柱（２）間の上部に水平方向に沿って架け渡された複数の横桟（４）とを備えてなる。
【００１８】
なお、この実施形態では、図５に示すように、建築物（Ａ）の建築位置の外周のうち建築物（Ａ）の一の外壁面に対応する箇所に前記狭小地用足場（１）が設置され、その両側の外壁面に対応する箇所には通常の足場（１１）（１１）がそれぞれ設置されており、前記狭小地用足場（１）の両端部に前記通常の足場（１１）（１１）が連結されている。
【００１９】
前記支柱（２）は、金属パイプによって構成されており、長さ方向に沿って所定間隔おきに２個ずつのコマ（５）（５）が対称に固定されている。このコマ（５）は、図２に示すように、平面視コ字状に形成されており、両側壁（５ａ）（５ａ）の先端が支柱（２）の外周面に溶接処理等により固定されていて、内部に上下方向に貫通する貫通孔（５ｂ）が設けられている。
【００２０】
図３は、この発明の一実施形態に係る踏板（３）を示す図である。
【００２１】
この踏板（３）は、幅狭に形成された平面視矩形状の踏板枠（３ａ）と、該踏板枠（３ａ）内に架け渡される態様で設けられたメッシュ状の踏板網（３ｂ）とを備え、これにより一枚の踏板（３）を構成している。なお、この実施形態では、踏板（３）の幅（Ｗ）は約１５０ｍｍの幅狭に形成されている。
【００２２】
また、踏板（３）の長さ方向の両端部における中央部には、先端が下方に向けられた逆Ｊ状の楔（６）の基端が溶接処理等により固定されている。従って、図４に示すように、一方の端部の楔（６）の先端部を一の前記支柱（２）のコマ（５）の貫通孔（５ｂ）に差し込むとともに、他方の端部の楔（６）の先端部を隣の支柱（２）のコマ（５）の貫通孔（５ｂ）に差し込めば、前記踏板（３）が前記支柱（２）（２）間に水平方向に沿って架け渡される。
【００２３】
また、踏板（３）の長さ方向の両側部における一方側部には、移動規制部材（７）が踏板（３）の長さ方向に突出する態様で設けられている。この移動規制部材（７）は、平面視コ字状に形成されており、両側壁（７ａ）（７ａ）の先端が踏板（３）の長さ方向の端面に溶接処理等により固定されている。従って、前記踏板（３）が前記支柱（２）間に同一高さで水平方向に沿って架け渡された際、図４に示すように、隣り合う前記踏板（３）（３）の移動規制部材（７）（７）は、その先端面（７ｂ）（７ｂ）を当接せしめることにより互いに近接方向の移動を規制するものとなされている。
【００２４】
しかして、移動規制部材（７）が建築物方向の内側に位置するように各踏板（３）を各支柱（２）間に架け渡していくと、前記移動規制部材（７）（７）は建築物方向の内側の位置において互いに隣り合う踏板（３）（３）の近接方向の移動を規制するので、各踏板（３）は支柱（２）との連結部を中心にして建築物方向の内方に回転することがなく、支柱（２）との連結部を中心にして建築物方向の外方にのみ若干回転し得る。このため、踏板（３）全体は、図５に示すように、上方から見て内方に緩やかに湾曲する一の湾曲線（Ｉ）に沿った剛性を有する状態となるので、足場における踏板（３）のジグザグ変形を防止することができ、足場（１）の安定性を向上することが可能となる。
【００２５】
このような構造の狭小地用足場（１）を組み立てるには、まず建築物（Ａ）の建築位置の外周の一部において複数の支柱（２）を所定間隔ごとに一列に立設する。
【００２６】
なお、支柱（２）を立設していく過程において、足場（１）の安定性を高めるために、支柱（２）間の上部に横桟（４）を水平方向に沿って架け渡すが、支柱（２）間の中間部や下部にその他の横桟または筋交を架け渡すものとしてもよい。
【００２７】
そして、支柱（２）を立設していく過程または立設した後において、移動規制部材（７）が建築物方向の内側に位置するように、一方の端部の楔（６）を一の前記支柱（２）のコマ（５）の貫通孔（５ａ）に差し込み、また他方の端部の楔（６）を隣り支柱（２）のコマ（５）の貫通孔（５ａ）に差し込むことにより、各踏板（３）を各支柱（２）間に同一高さで水平方向に沿って架け渡していく。
【００２８】
なお、この実施形態では、移動規制部材（７）を平面視コ字状に形成したが、この形状に限定されるものではなく、その他の形状に形成してもよい。
【００２９】
また、踏板（３）の長さ方向の両端部における前記支柱（２）との連結部分の一方側部に移動規制部材（７）を設けるものとしたが、図６に示すように、前記支柱（２）との連結部分の両側部にそれぞれ移動規制部材（７）（７）を設けるものとしてもよい。これによれば、前記移動規制部材（７）（７）は互いに隣り合う踏板（３）（３）の近接方向の移動を両側から規制するので、各踏板（３）は支柱（２）との連結部を中心にしていずれの方向にも回転することがない。このため、踏板（３）全体は、上方から見て一の水平線に沿った剛性を有する状態となるので、足場（１）における踏板（３）のジグザグ変形を防止することができ、足場（１）の安定性を向上することが可能となる。
【００３０】
また、踏板（３）の長さ方向の両端部における中央部に楔（６）を設けるものとしたが、これに限定されるものではなく、例えば図７に示すように、踏板（３）の長さ方向の両端部における一方側部に楔（６）を設けるものとしてもよい。
【００３１】
また、支柱（２）と踏板（３）の連結構造は、上述の楔式によるものに限定されず、クランプ式等その他の連結構造であってもよい。
【００３２】
また、移動規制部材（７）が建築物方向の内側に位置するように各踏板（３）を各支柱（２）間に架け渡していき、踏板（３）全体を、図５に示すように、上方から見て内方に緩やかに湾曲する一の湾曲線（Ｉ）に沿った剛性を有する状態にしたが、移動規制部材（７）が建築物方向の外側に位置するように各踏板（３）を各支柱（２）間に架け渡していき、踏板（３）全体を、上方から見て外方に緩やかに湾曲する一の湾曲線に沿った剛性を有する状態にしてもよい。ただ、踏板（３）全体が、上方から見て建築物方向の内方に緩やかに湾曲する一の湾曲線（Ｉ）に沿った剛性を有する状態の場合、足場（１）が隣りの建築物や境界線を干渉することを防止することができるのでより好ましい。
【００３３】
また、前記移動規制部材（７）の幅方向の一方側部に係止片（７１）を踏板（３）の長さ方向に突出する態様で設け、隣り合う踏板（３）（３）の係止片（７１）（７１）がそれぞれ移動規制部材（７）（７）の幅方向の移動を規制するものとしてもよい。
【００３４】
例えば、図８（ａ）に示すように、移動規制部材（７）の外側面または内側面に長さ方向に突出する係止片（７１）を溶接処理等により固定し、係止片（７１）（７１）が互いに相手の移動規制部材（７）の側面に当接することによって、移動規制部材（７）（７）の幅方向の移動を規制する態様が挙げられる。
【００３５】
また、図８（ｂ）に示すように、移動規制部材（７）の一方側部に係止片としての凸部（７１）を形成し、それら凸部（７１）（７１）を互いに相手の移動規制部材（７）（７）の段部（７２）（７２）に嵌め合わせることによって、移動規制部材（７）（７）の幅方向の移動を規制する態様が挙げられる。
【００３６】
これらによれば、隣り合う踏板（３）（３）の係止片（７１）（７１）がそれぞれ移動規制部材（７）（７）の幅方向の移動を規制するので、各踏板（３）は支柱（２）との連結部を中心にしてより回転しにくくなり、足場（１）の安定性をより一層向上することが可能となる。
［実施形態２］
次にこの発明の他の実施形態について説明する。
【００３７】
この実施形態では、図９ないし図１１に示すように、前記建築物（Ａ）と足場（１）との間に２個の圧縮部材（８）（８）が設けられている。そして、前記足場（１）における踏板長さ方向の両端部が足場（１１）（１１）により移動規制された状態で、前記足場（１）における踏板長さ方向の中間部が前記圧縮部材（８）（８）により建築物（Ａ）方向の外方に荷重が加えられるものとなされている。
【００３８】
この圧縮部材（８）は、図１０に示すように、周面に螺旋が形成された圧縮部材本体（８ａ）と、該圧縮部材（８ａ）の一端部に設けられた受当部材（８ｂ）と、前記圧縮部材本体（８ａ）の中間部に挿通された連結部材（８ｃ）と、前記圧縮部材本体（８ａ）に螺合されたジャッキナット（８ｄ）とからなる。
【００３９】
また、前記支柱（２）のうち左側および右側から２番目の支柱には、前記上段のコマ（５）（５）のやや下方の位置において１個の圧縮部材用のコマ（９）が設けられている。
【００４０】
しかして、建築物（Ａ）の外壁面に前記受当部材（８ａ）を当接し、かつ前記支柱（９）のコマ（９）に前記連結部材（８ｃ）の楔（８１）を差し込んで連結し、その状態でジャッキナット（８ｄ）により前記連結部材（８ｃ）を建築物（Ａ）方向の外方に移動させれば、前記足場（１）の中間部は圧縮部材（８）（８）により建築物（Ａ）方向の外方に荷重が加えられる。
【００４１】
従って、圧縮部材（８）（８）を設ける前は、図５に示すように、踏板（３）全体は上方から見て建築物方向の内方に緩やかに湾曲するが、圧縮部材（８）（８）を設けた後は、図１２に示すように、圧縮部材（８）（８）により足場（１）の中間部に対して建築物（Ａ）方向の外方に荷重が加えられるので、踏板（３）全体は上方から見て一の水平線（ＩＩ）に沿ったより剛性を有する状態となり、足場（１）における踏板（３）のジグザグ変形をより一層防止することができる。また、支柱（２）が地面との接地点を中心にして建築物（Ａ）方向に揺れることを防止することができ、上述の足場（１）における踏板（３）のジグザグ変形と相俟って、足場（１）の安定性をより一層向上させることが可能となる。
【００４２】
なお、この実施形態では、圧縮部材（８）は、前記支柱（２）のうち左側および右側から２番目の支柱（２）に連結するものとしたが、３番目以降の支柱（２）に連結するものとしてもよい。
【００４３】
また、圧縮部材（８）は、前記支柱（２）に楔式により連結するものとしたが、その他の方法により連結するものとしてもよい。
【００４４】
また、圧縮部材（８）は、前記支柱（２）に連結するものとしたが、前記支柱（２）に当接するものとしてもよい。
【００４５】
また、圧縮部材（８）は、前記支柱（２）に連結するものとしたが、前記踏板（３）に連結または当接するものとしてもよい。
【００４６】
また、圧縮部材（８）は、ジャッキナット（８ｃ）により連結部材（８ｃ）を移動させるものとしたが、その他の方式により連結部材（８ｃ）を移動させるものとしてもよい。
【００４７】
また、２個の圧縮部材（８）を用いものとしたが、１個または３個以上の圧縮部材（８）を用いてもよい。
【００４８】
また、圧縮部材（８）は、圧縮部材本体（８ｃ）の中間部に挿通状態に設けられた連結部材（８ｃ）を前記支柱（２）に連結するものとしたが、圧縮部材本体（８ｃ）の他端部を前記支柱（２）に連結または当接するものとしてもよい。この場合、建築物（Ａ）と足場（１）の間に圧縮部材（８）を設けるに際しては、足場（１）の支柱（２）または踏板（３）に対して一時的に建築物（Ａ）の外方に荷重を加えることにより建築物（Ａ）と足場（１）の間の隙間を広げておいて、その状態で圧縮部材（８）の一端部を建築物（Ａ）の外壁面に当接し、かつ他端部を足場（１）の支柱（２）または踏板（３）に連結または当接して、前記一時的に加えた荷重を解除すればよい。
【００４９】
また、足場（１）における踏板長さ方向の両端部は、足場（１１）（１１）により移動規制されるものとしたが、その他の方法により移動規制されるものとしてもよい。例えば、足場（１）における踏板長さ方向の両端部が、一端部を地面に固定された支持部材の他端部に連結されることにより移動規制される方法などが挙げられる。
【００５０】
【発明の効果】
請求項１に係る発明によれば、踏板の長さ方向の両端部における前記支柱との連結部の一方側部に移動規制部材が設けられている場合、移動規制部材は互いに隣り合う踏板の近接方向の移動を規制するので、各踏板は支柱との連結部を中心にして移動規制部材側に回転することがなく、支柱との連結部を中心にして移動規制部材と反対側にのみ若干回転し得る。このため、踏板全体は、上方から見て緩やかな一の湾曲線に沿った剛性を有する状態となるので、足場における踏板のジグザグ変形を防止することができ、足場の安定性を向上することが可能となる。
【００５１】
また、踏板の長さ方向の両端部における前記支柱との連結部の両側部に移動規制部材が設けられている場合、前記移動規制部材は互いに隣り合う踏板の近接方向に移動を両側から規制するので、各踏板は支柱との連結部を中心にしていずれの方向にも回転することがない。このため、踏板全体は、上方から見て一の水平線に沿った剛性を有する状態となるので、足場における踏板のジグザグ変形を防止することができ、足場の安定性を向上することが可能となる。
【００５２】
請求項２に係る発明によれば、隣り合う踏板の係止片がそれぞれ移動規制部材の幅方向の移動をも規制するので、各踏板は支柱との連結部を中心にしてより回転しにくくなり、足場の安定性をより一層向上することが可能となる。
【００５３】
請求項３に係る発明によれば、各踏板は支柱との連結部を中心にして建築物方向の内方に回転することがなく、支柱との連結部を中心にして建築物方向の外方にのみ若干回転し得る。このため、踏板全体は、上方から見て建築物方向の内方に緩やかに湾曲する一の湾曲線に沿った剛性を有する状態となるので、足場が隣りの建築物や境界線を干渉することを防止することができる。
【００５４】
請求項４に係る発明によれば、各踏板は上述のように上方から見て建築物方向の内方に緩やかに湾曲しようとするが、一ないし複数の圧縮部材により足場の中間部に対して建築物方向の外方に荷重が加えられるので、踏板全体は上方から見て一の水平線に沿ったより剛性を有する状態となり、足場における踏板のジグザグ変形をより一層防止することができる。また、支柱が地面との接地点を中心にして建築物方向に揺れることを防止することができ、上述の足場における踏板のジグザグ変形の防止と相俟って、足場の安定性をより一層向上させることが可能となる。
【００５５】
請求項５に係る発明によれば前記支柱と踏板を簡単かつ確実に連結することができる。
【００５６】
請求項６に係る発明によれば、各踏板を前記支柱に架け渡した際に、前記移動規制部材は互いに隣り合う踏板の近接方向の移動を規制することによって、踏板全体は上方から見て緩やかな一の湾曲線または一の水平線に沿った剛性を有する状態となるので、足場における踏板のジグザグ変形を防止することができ、足場の安定性を向上することが可能となる。
【図面の簡単な説明】
【図１】この発明の一実施形態に係る狭小地用足場を示す斜視図である。
【図２】図１の支柱およびコマの断面図である。
【図３】図１の踏板の（ａ）平面図、（ｂ）側面図である。
【図４】図１の足場の連結部分の（ａ）拡大平面図、（ｂ）拡大側面図である。
【図５】図１の狭小地用足場の平面図である。
【図６】狭小地用足場の連結部分の他の例を示す拡大平面図である。
【図７】狭小地用足場の移動規制部材の他の例を示す拡大平面図である。
【図８】狭小地用足場の移動規制部材のさらに他の例を示す拡大平面図である。
【図９】この発明の他の実施形態に係る狭小地用足場を示す側方断面図である。
【図１０】図９の圧縮部材の拡大斜視図である。
【図１１】図９の狭小地用足場の平面図である。
【図１２】従来の狭小地用足場の平面図である。
【符号の説明】
１・・・狭小地用足場
２・・・支柱
３・・・踏板
４・・・横桟
５・・・コマ
６・・・楔
７・・・移動規制部材
【図１】
2004116193.tif 000003
【図２】
2004116193.tif 000004
【図３】
2004116193.tif 000005
【図４】
2004116193.tif 000006
【図５】
2004116193.tif 000007
【図６】
2004116193.tif 000008
【図７】
2004116193.tif 000009
【図８】
2004116193.tif 000010
【図９】
2004116193.tif 000011
【図１０】
2004116193.tif 000012
【図１１】
2004116193.tif 000013
【図１２】
2004116193.tif 000014